(57)【要約】【課題】伝送速度の異なる複数の回線を、時分割多重方式を用いて共存させても、信号の衝突が発生しないようにすることができるようにする。【解決手段】ＯＬＴは、伝送速度の異なる複数の回線に接続され、それら複数の回線の内、予め定められた１つの回線からデータ伝送タイミングを抽出するタイミング抽出手段を備える。また、タイミング抽出手段により抽出されたデータ伝送タイミングと衝突しないように他の回線におけるデータ伝送タイミングを割り当てるタイミング割り当て手段を備える。そして、上記他の回線におけるＯＮＵが、その割り当てられたデータ伝送タイミングに基づいてデータ伝送を行うようになっている。【選択図】図１
2009225168.tif 000002
【特許請求の範囲】
【請求項１】
伝送速度の異なる複数の回線に接続されて用いられる局側光網終端装置であって、
前記複数の回線の内、予め定められた１つの回線からデータ伝送タイミングを抽出するタイミング抽出手段と、
前記タイミング抽出手段により抽出されたデータ伝送タイミングと衝突しないように他の回線におけるデータ伝送タイミングを割り当てるタイミング割り当て手段と、を備えたことを特徴とする局側光網終端装置。
【請求項２】
前記タイミング割り当て手段により割り当てられたタイミングで時分割多重化されて送信された前記複数の回線からのフレームに対して、当該フレームが該複数の回線の何れのものであるかを該フレームに含まれる識別子に基づいて識別し、フレーム送信先の振り分けを行う振り分け手段を備えたことを特徴とする請求項１記載の局側光網終端装置。
【請求項３】
前記識別子は、フレームのプレアンブルの予め定められた部分に付与されたことを特徴とする請求項２記載の局側光網終端装置。
【請求項４】
前記複数の回線は、上り信号が時分割多重化され、
前記タイミング割り当て手段は、前記他の回線におけるデータ伝送タイミングを該他の回線の加入者側光網終端装置に送信することによりタイミング割り当てを行うことを特徴とする請求項１から３の何れか１項に記載の局側光網終端装置。
【請求項５】
前記１つの回線から当該回線における動作クロックを抽出し、該クロックと同期する同期クロックを生成する同期クロック生成手段を備え、
前記タイミング割り当て手段は、前記同期クロックに基づいて前記他の回線のデータ伝送タイミングの制御を行うことを特徴とする請求項１から４の何れか１項に記載の局側光網終端装置。
【請求項６】
局側光網終端装置により割り当てられたタイミングでフレームを送信するフレーム送信手段と、
前記フレーム送信手段により送信するフレームに、当該フレームが何れの回線のものであるかを示す識別子を含める識別子付与手段とを備えたことを特徴とする加入者側光網終端装置。
【請求項７】
前記識別子は、フレームのプレアンブルの予め定められた部分に付与されたことを特徴とする請求項６記載の加入者側光網終端装置。
【請求項８】
１つの回線における加入者側光網終端装置の複数と、他の回線における請求項６または７記載の加入者側光網終端装置の複数とが、光分岐手段を介して、前記他の回線における請求項１から５の何れか１項に記載の局側光網終端装置に接続され、該局側光網終端装置に前記１つの回線における局側光網終端装置が接続されて構成されたことを特徴とする光通信システム。
【請求項９】
伝送速度の異なる複数の回線に接続されて用いられる局側光網終端装置のタイミング制御方法であって、
前記複数の回線の内、予め定められた１つの回線からデータ伝送タイミングを抽出するタイミング抽出工程と、
前記タイミング抽出工程により抽出されたデータ伝送タイミングと衝突しないように他の回線におけるデータ伝送タイミングを割り当てるタイミング割り当て工程と、を備えたことを特徴とするタイミング制御方法。
【請求項１０】
前記タイミング割り当て工程により割り当てられたタイミングで時分割多重化されて送信された前記複数の回線からのフレームに対して、当該フレームが該複数の回線の何れのものであるかを該フレームに含まれる識別子に基づいて識別し、フレーム送信先の振り分けを行う振り分け工程を備えたことを特徴とする請求項９記載のタイミング制御方法。
【請求項１１】
前記識別子は、フレームのプレアンブルの予め定められた部分に付与されたことを特徴とする請求項１０記載のタイミング制御方法。
【請求項１２】
前記複数の回線は、上り信号が時分割多重化され、
前記タイミング割り当て工程で割り当てられた前記他の回線におけるデータ伝送タイミングは、該他の回線の加入者側光網終端装置に送信されて通知されることを特徴とする請求項９から１１の何れか１項に記載のタイミング制御方法。
【請求項１３】
前記１つの回線から当該回線における動作クロックを抽出し、該クロックと同期する同期クロックを生成する同期クロック生成工程を備え、
前記タイミング割り当て工程では、前記同期クロックに基づいて前記他の回線のデータ伝送タイミングの制御を行うことを特徴とする請求項９から１２の何れか１項に記載のタイミング制御方法。
【請求項１４】
伝送速度の異なる複数の回線に接続されて用いられる局側光網終端装置のプログラムであって、
前記複数の回線の内、予め定められた１つの回線からデータ伝送タイミングを抽出するタイミング抽出処理と、
前記タイミング抽出処理により抽出されたデータ伝送タイミングと衝突しないように他の回線におけるデータ伝送タイミングを割り当てるタイミング割り当て処理と、前記局側光網終端装置のコンピュータに実行させることを特徴とする局側光網終端装置のプログラム。
【請求項１５】
前記タイミング割り当て処理により割り当てられたタイミングで時分割多重化されて送信された前記複数の回線からのフレームに対して、当該フレームが該複数の回線の何れのものであるかを該フレームに含まれる識別子に基づいて識別し、フレーム送信先の振り分けを行う振り分け処理を、前記局側光網終端装置のコンピュータに実行させることを特徴とする請求項１４記載の局側光網終端装置のプログラム。
【請求項１６】
前記識別子は、フレームのプレアンブルの予め定められた部分に付与されたことを特徴とする請求項１５記載の局側光網終端装置のプログラム。
【請求項１７】
前記複数の回線は、上り信号が時分割多重化され、
前記タイミング割り当て処理で割り当てられた前記他の回線におけるデータ伝送タイミングを、該他の回線の加入者側光網終端装置に送信することで通知する通知処理を、前記局側光網終端装置のコンピュータに実行させることを特徴とする請求項１４から１６の何れか１項に記載の局側光網終端装置のプログラム。
【請求項１８】
前記１つの回線から当該回線における動作クロックを抽出し、該クロックと同期する同期クロックを生成する同期クロック生成処理を前記局側光網終端装置のコンピュータに実行させ、
前記タイミング割り当て処理では、前記同期クロックに基づいて前記他の回線のデータ伝送タイミングの制御を行うことを特徴とする請求項１４から１７の何れか１項に記載の局側光網終端装置のプログラム。
【請求項１９】
加入者側光網終端装置のコンピュータを、
局側光網終端装置により割り当てられたタイミングでフレームを送信するフレーム送信手段と、
前記フレーム送信手段により送信するフレームに、当該フレームが何れの回線のものであるかを示す識別子を含める識別子付与手段と、として機能させることを特徴とする加入者側光網終端装置のプログラム。
【請求項２０】
前記識別子は、フレームのプレアンブルの予め定められた部分に付与されたことを特徴とする請求項１９記載の加入者側光網終端装置のプログラム。
【発明の詳細な説明】
【技術分野】
【０００１】
本発明は、例えばＧＥ−ＰＯＮ（Gigabit Ethernet（登録商標）-Passive Optical Network）の回線と１０ＧＥ−ＰＯＮの回線など、伝送速度の異なる複数の回線に接続されて用いられる局側光網終端装置、加入者側光網終端装置、光通信システム、タイミング制御方法、および装置のプログラムに関する。
【背景技術】
【０００２】
一般に、ＧＥ−ＰＯＮシステムと、１０ＧＥ−ＰＯＮシステムとがある。
例として既存ＧＥ−ＰＯＮシステムに、１０ＧＥ−ＰＯＮシステムをＷＤＭ（Wavelength Division Multiplexing；波長分割多重方式）フィルタにより共存させた構成を図８に示す。図８の例のように構成する場合、既存ＧＥ−ＰＯＮ  ＯＬＴ（Optical Line Termination；局側光網終端装置）（６０４）による信号と、１０ＧＥ−ＰＯＮ  ＯＬＴ（６０３）による信号とがＷＤＭフィルタ（６０５）で多重化され、システムとして共存することとなる。
【０００３】
また、本発明の関連技術として、ＯＬＴへ伝送される上りデータを複数のクラスに区分し、それぞれのクラス別に帯域幅を分配し、この分配して残る余分の帯域幅を複数の光加入者装置に分配し、各クラスの優先順位に従ったＱｏｓ（Quality of Service）を提供するようにしたものがある（例えば、特許文献１参照）。
【０００４】
また、本発明の関連技術として、ＯＬＴが端末装置との間の往復伝搬時間を求め、タイムスタンプの変動を吸収できる余裕を見込んで各端末装置にゲートフレームを配布するようにすることで、クロック同期を前提としなくても各端末装置からの上り信号を衝突させないようにしたものがある（例えば、特許文献２参照）。
【特許文献１】特開２００７−９７１１２号公報
【特許文献２】特開２００７−２９５１５１号公報
【発明の開示】
【発明が解決しようとする課題】
【０００５】
しかしながら、上述した図８に例示するようなＧＥ−ＰＯＮシステムでは、光回線毎に同期が取れていない為、他の光回線とＴＤＭ（Time Division Multiplexing；時分割多重方式）で多重することは不可能である。すなわち、仮に既存ＧＥ−ＰＯＮ  ＯＬＴ（６０４）の回線と１０ＧＥ−ＰＯＮ  ＯＬＴ（６０３）の回線とをＴＤＭで多重化すると、他方の回線が上り方向で与えている帯域時間を判別することは不可能である為、図９のように、ＰＯＮ回線上（６０８）での上り方向の割り当て時間において信号の衝突が発生してしまうという問題があった。
【０００６】
また、上述した特許文献１のものは、上りデータをクラスに分けることで、優先度の高いクラスのＱｏｓを維持しながらも余りの帯域を分配するようにしているものであり、伝送速度の異なる複数の回線を共存させることについてまで考慮されたものではなかった。
【０００７】
また、上述した特許文献２のものは、往復伝搬時間に基づいて変動を吸収できる余裕をゲートフレームの配布タイミングに持たせることで衝突を回避するものであり、伝送速度の異なる複数の回線について、データを衝突させずに共存させることについてまで考慮されたものではなかった。
【０００８】
本発明はこのような状況に鑑みてなされたものであり、伝送速度の異なる複数の回線を、時分割多重方式を用いて共存させても、信号の衝突が発生しないようにすることができる局側光網終端装置、加入者側光網終端装置、光通信システム、タイミング制御方法、および装置のプログラムを提供することを目的とする。
【課題を解決するための手段】
【０００９】
かかる目的を達成するために、本発明に係る局側光網終端装置は、伝送速度の異なる複数の回線に接続されて用いられる局側光網終端装置であって、上記複数の回線の内、予め定められた１つの回線からデータ伝送タイミングを抽出するタイミング抽出手段と、上記タイミング抽出手段により抽出されたデータ伝送タイミングと衝突しないように他の回線におけるデータ伝送タイミングを割り当てるタイミング割り当て手段と、を備えたことを特徴とする。
【００１０】
また、本発明に係る加入者側光網終端装置は、局側光網終端装置により割り当てられたタイミングでフレームを送信するフレーム送信手段と、上記フレーム送信手段により送信するフレームに、当該フレームが何れの回線のものであるかを示す識別子を含める識別子付与手段とを備えたことを特徴とする。
【００１１】
また、本発明に係る光通信システムは、１つの回線における加入者側光網終端装置の複数と、他の回線における上述した本発明に係る加入者側光網終端装置の複数とが、光分岐手段を介して、上記他の回線における上述した本発明に係る局側光網終端装置に接続され、該局側光網終端装置に上記１つの回線における局側光網終端装置が接続されて構成されたことを特徴とする。
【００１２】
また、本発明に係るタイミング制御方法は、伝送速度の異なる複数の回線に接続されて用いられる局側光網終端装置のタイミング制御方法であって、上記複数の回線の内、予め定められた１つの回線からデータ伝送タイミングを抽出するタイミング抽出工程と、上記タイミング抽出工程により抽出されたデータ伝送タイミングと衝突しないように他の回線におけるデータ伝送タイミングを割り当てるタイミング割り当て工程と、を備えたことを特徴とする。
【００１３】
また、本発明に係る局側光網終端装置のプログラムは、伝送速度の異なる複数の回線に接続されて用いられる局側光網終端装置のプログラムであって、上記複数の回線の内、予め定められた１つの回線からデータ伝送タイミングを抽出するタイミング抽出処理と、上記タイミング抽出処理により抽出されたデータ伝送タイミングと衝突しないように他の回線におけるデータ伝送タイミングを割り当てるタイミング割り当て処理と、上記局側光網終端装置のコンピュータに実行させることを特徴とする。
【００１４】
また、本発明に係る加入者側光網終端装置のプログラムは、加入者側光網終端装置のコンピュータを、局側光網終端装置により割り当てられたタイミングでフレームを送信するフレーム送信手段と、上記フレーム送信手段により送信するフレームに、当該フレームが何れの回線のものであるかを示す識別子を含める識別子付与手段と、として機能させることを特徴とする。
【発明の効果】
【００１５】
以上のように、本発明によれば、伝送速度の異なる複数の回線を、時分割多重方式を用いて共存させても、信号の衝突が発生しないようにすることができる。
【発明を実施するための最良の形態】
【００１６】
次に、本発明に係る局側光網終端装置、加入者側光網終端装置、光通信システム、タイミング制御方法、および装置のプログラムをＧＥ−ＰＯＮシステムに適用した一実施形態について、図面を用いて詳細に説明する。
【００１７】
まず、本実施形態の概略について説明する。
本実施形態のＯＬＴは、図１に示すように、伝送速度の異なる複数の回線に接続され、それら複数の回線の内、予め定められた１つの回線からデータ伝送タイミングを抽出するタイミング抽出手段を備える。また、タイミング抽出手段により抽出されたデータ伝送タイミングと衝突しないように他の回線におけるデータ伝送タイミングを割り当てるタイミング割り当て手段を備える。
そして、上記他の回線におけるＯＮＵ（Optical Network Unit；加入者側光網終端装置）が、その割り当てられたデータ伝送タイミングに基づいてデータ伝送を行うようになっている。
【００１８】
ＧＥ−ＰＯＮシステムは、上り方向の帯域について、局側装置ＯＬＴより時間軸を各ＯＮＵに与えてデータ転送を行うＴＤＭのシステムである。
既存のＧＥ−ＰＯＮシステムにおいて非対称のシステム、例えば、１０ＧＥ−ＰＯＮシステム（上り１．２５Ｇｂｐｓ、下り１０．３１２５Ｇｂｐｓ）を導入する際、下り方向はＷＤＭにより多重を行うが上り方向についてはＴＤＭ多重を実施する。しかし、ＴＤＭ多重を行うには、既存ＧＥ−ＰＯＮ回線（１つの回線）と１０ＧＥ−ＰＯＮ回線（他の回線）との間で時間軸の同期を行わなくては信号の衝突が発生してしまう。
本実施形態は、上り方向のＴＤＭ多重において信号衝突をさけることで、非対称ＧＥ−ＰＯＮシステムと既存ＧＥ−ＰＯＮシステムとを共存させるものである。
【００１９】
図２に、本実施形態としての、１０ＧＥ−ＰＯＮシステムと既存ＧＥ−ＰＯＮとを同期させた光通信システムの構成例を示す。
本実施形態としての光通信システムは、図２に示すように、既存ＧＥ−ＰＯＮ  ＯＬＴ（３０３）と、１０ＧＥ−ＰＯＮ  ＯＬＴ（３０５）とが直列に接続され、その１０ＧＥ−ＰＯＮ  ＯＬＴ（３０５）からＷＤＭフィルタ（３０７）、光カプラ（光分岐手段）（３１０）を介し、既存ＧＥ−ＰＯＮ  ＯＮＵ（３０８）、および１０ＧＥ−ＰＯＮ  ＯＮＵ（３０９）に接続される構成となっている。
【００２０】
１０ＧＥ−ＰＯＮ  ＭＡＣ（Media Access Control）機能部（３０６）は、接続された既存ＧＥ−ＰＯＮ回線の下り方向に対してＭＰＣＰ（multi-point control protocol）フレームモニタを行い、既存ＧＥ−ＰＯＮ  ＯＬＴ（３０３）のLocaltimeの抽出、および、既存ＧＥ−ＰＯＮ  ＯＮＵ（３０８）へ割り当て時間の抽出を行う。
【００２１】
１０ＧＥ−ＰＯＮ  ＭＡＣ機能部（３０６）は、抽出データを元に既存ＧＥ−ＰＯＮ回線による使用帯域を計算し、信号衝突が発生しないように１０ＧＥ−ＰＯＮ  ＯＮＵ（３０９）の割り当て帯域／時間の通知を行う。また、localtimeの同期を行う為、既存ＧＥ−ＰＯＮ  ＯＬＴ（３０３）の受信信号（３０４）よりクロックを抽出し、この抽出したクロックで１０ＧＥ−ＰＯＮ  ＭＡＣ（３０６）ではlocaltimeを制御する。
【００２２】
また、１０ＧＥ−ＰＯＮ  ＯＬＴ（３０５）が、既存ＧＥ−ＰＯＮ  ＯＬＴ（３０３）に対して１０ＧＥ−ＰＯＮ  ＯＮＵ（３０９）の出力データを出力してしまうと、既存ＧＥ−ＰＯＮシステムに対し影響を与えてしまう。この問題に対し、本実施形態では、１０ＧＥ−ＰＯＮ  ＯＮＵ（３０９）からの上り信号におけるpreamble（プレアンブル）部分に識別コードを付与し、この識別コードに基づいて１０ＧＥ−ＰＯＮ  ＭＡＣ（３０６）がデータの振り分けを行う。
このことにより、１０ＧＥ−ＰＯＮ回線と既存ＧＥ−ＰＯＮ回線とを、上り信号について時分割多重方式で共存させながらも、既存ＧＥ−ＰＯＮシステムに影響を及ぼさないようにすることが可能である。
【００２３】
こうした構成により、本実施形態の構成によれば、図３に示すように、既存ＧＥ−ＰＯＮと１０ＧＥ−ＰＯＮの上り方向における信号衝突を回避できる。このため、既存ＧＥ−ＰＯＮシステムへの影響を回避することが可能となる。
【００２４】
次に、既存ＧＥ−ＰＯＮと１０ＧＥ−ＰＯＮシステムにおけるlocaltime同期の動作について、上述した図２を参照して説明する。
【００２５】
１０ＧＥ−ＰＯＮ  ＯＬＴ（３０５）は、下り方向の信号について、既存ＧＥ−ＰＯＮ  ＯＬＴ（３０３）の１．２５Ｇｂｐｓの信号を受信し、１０ＧＥ−ＰＯＮ  ＭＡＣ（３０６）において、既存ＧＥ−ＰＯＮ  ＯＬＴ（３０３）のクロック抽出、および、ＭＰＣＰフレームの抽出を行う。
【００２６】
１０ＧＥ−ＰＯＮ  ＭＡＣ（３０６）は、既存ＧＥ−ＰＯＮ  ＯＮＵ（３０８）へのデータについては固定遅延でＷＤＭフィルタ（３０７）へ出力をする。ＷＤＭフィルタ（３０７）は、この既存ＧＥ−ＰＯＮ回線への出力を、１０ＧＥ−ＰＯＮ回線の出力とＷＤＭ方式により多重化し、ＰＯＮ区間へ出力する。
【００２７】
こうしてＷＤＭ多重化された既存ＧＥ−ＰＯＮ回線の出力と１０ＧＥ−ＰＯＮ回線の出力とは、光カプラ（３１０）を介して各既存ＧＥ−ＰＯＮ  ＯＮＵ（３０８）および、１０ＧＥ−ＰＯＮ  ＯＮＵ（３０９）へデータ転送される。既存ＧＥ−ＰＯＮ  ＯＮＵ（３０８）と１０ＧＥ−ＰＯＮ  ＯＮＵ（３０９）とは、フィルタを介し、自装置に必要な波長のみを抽出し、受信処理を行う。
【００２８】
各既存ＧＥ−ＰＯＮ  ＯＮＵ（３０８）は、上り方向の信号について、既存ＧＥ−ＰＯＮ  ＯＬＴ（３０３）から割り当てられたタイミング（時間帯）にレーザーをＯＮにし、信号出力を行う。また、各１０ＧＥ−ＰＯＮ  ＯＮＵ（３０９）は、上り方向の信号について、１０ＧＥ−ＰＯＮ  ＭＡＣ（３０６）から割り当てられたタイミング（時間帯）にレーザーをＯＮにし、信号出力を行う。
【００２９】
１０ＧＥ−ＰＯＮ  ＯＮＵ（３０９）は、出力データのpreamble部分に１０ＧＥ−ＰＯＮ  ＯＮＵ出力を示す識別子を付与する。この識別子を用いて、１０ＧＥ−ＰＯＮ  ＭＡＣ（３０６）は、既存ＧＥ−ＰＯＮ  ＯＬＴ（３０３）出力と、１０ＧＥ−ＰＯＮ  ＭＡＣ（３０６）内部処理部とに振り分けを行う。
【００３０】
１０ＧＥ−ＰＯＮ  ＯＬＴ（３０５）は、既存ＧＥ−ＰＯＮ  ＯＬＴ（３０３）への上り出力を１．２５Ｇｂｐｓ回線（３０４）を介して出力し、既存ＧＥ−ＰＯＮ  ＯＬＴ（３０３）は、この上り出力を受信して内部で処理を行う。
【００３１】
また、１０ＧＥ−ＰＯＮ  ＭＡＣ（３０６）内部処理のデータは、ＰＯＮ関連の処理として、１０ＧＥ−ＰＯＮ  ＭＡＣ（３０６）で終端を行い、Ethernet（登録商標）によるネットワーク回線（３０２）を介して上位装置へデータ出力する。
【００３２】
次に、本実施形態の１０ＧＥ−ＰＯＮ  ＯＬＴ（３０５）の動作について、図４に示す１０ＧＥ−ＰＯＮ  ＭＡＣ（３０６）の内部構成を参照して説明する。
【００３３】
まず、下り方向の処理について説明する。
図４に示すように、１０ＧＥ−ＰＯＮ  ＭＡＣ（３０６）は、１．２５Ｇｂｐｓの回線（４０３）より既存ＧＥ−ＰＯＮシステムからの下り信号を受信する。受信信号よりＰＬＬ（Phase Locked Loop）（４０５）は、既存ＧＥ−ＰＯＮシステムの動作クロックを抽出し、そのクロックに同期したクロック（４１７）を生成する（同期クロック生成手段）。１０ＧＥ−ＰＯＮ  ＭＡＣ機能部（４１０）は、このＰＬＬ（４０５）から送信される同期クロックによりlocaltimeの制御を行う。
【００３４】
既存ＧＥ−ＰＯＮ回線からの信号に対しては、ＡＥＳ（Advanced Encryption Standard）復号化部（４０８）がＭＰＣＰフレームの抽出を行い、ＭＰＣＰフレーム解析機能部（４０９）へ出力する。ＭＰＣＰフレーム解析機能部（４０９）は、抽出されたＭＰＣＰフレームの解析を行い、Timestampおよび、各既存ＧＥ−ＰＯＮ  ＯＮＵに対する帯域割り当てに対する情報の解析を行う（タイミング抽出手段）。
【００３５】
ＭＰＣＰフレーム解析機能部（４０９）は、解析結果を１０ＧＥ−ＰＯＮ  ＭＰＣＰ／ＤＢＡ（Dynamic Bandwith Allocation）機能部（４１１）へ通知する。１０ＧＥ−ＰＯＮ  ＭＰＣＰ／ＤＢＡ機能部（４１１）は、解析結果を元に余り帯域を算出し、１０ＧＥ−ＰＯＮ  ＯＮＵへの帯域割り当ての計算を行う。こうして既存ＧＥ−ＰＯＮ回線と信号衝突が発生しないようにＭＰＣＰフレームを生成し、１０ＧＥ−ＰＯＮ  ＭＰＣＰ／ＤＢＡ機能部（４１１）は、１０ＧＥ−ＰＯＮ  ＭＡＣ機能部（４１０）より１０ＧＥ−ＰＯＮ回線側（４１６）へ下り信号として出力する（タイミング割り当て手段）。すなわち、１０ＧＥ−ＰＯＮ  ＭＰＣＰ／ＤＢＡ機能部（４１１）は、各１０ＧＥ−ＰＯＮ  ＯＮＵ（３０９）に対して割り当てたデータ伝送タイミングを、このようにして各１０ＧＥ−ＰＯＮ  ＯＮＵ（３０９）に通知する。
既存ＧＥ−ＰＯＮの下り信号（４０２）は、固定遅延でＧＥ−ＰＯＮ回線（４１５）側へ出力される。
【００３６】
次に、上り方向の処理について説明する。
１０ＧＥ−ＰＯＮ  ＯＮＵ（３０９）は、図５に示すように、ＰＯＮ回線への信号出力時、Preambleのoffset５に１０ＧＥ−ＰＯＮ  ＯＮＵの識別子を生成する。
【００３７】
ここで、１０ＧＥ−ＰＯＮ  ＭＡＣ機能部（３０６）の処理としては、ＧＥ−ＰＯＮ回線（４１４）からの信号として、既存ＧＥ−ＰＯＮ  ＯＮＵ（３０８）からの上り信号と、１０ＧＥ−ＰＯＮ  ＯＮＵ（３０９）からの上り信号のデータとが、ＴＤＭ多重の信号として受信される。
【００３８】
この受信された信号がＦＥＣ（Forward Error Correction）フレームである時は、ＦＥＣ復号化処理部（４０７）が誤り訂正処理を行い、フレーム振り分け機能部（振り分け手段）（４０６）に出力する。
【００３９】
フレーム振り分け機能部（４０６）は、preamble部分で既存ＧＥ−ＰＯＮ  ＯＮＵ（３０８）からの信号と１０ＧＥ−ＰＯＮ  ＯＮＵ（３０９）からの信号との判別を行い、既存ＧＥ−ＰＯＮ回線への出力と、１０ＧＥ−ＰＯＮ  ＭＡＣ機能部（４１０）への出力との振り分けを行う。
【００４０】
この振り分けにより、既存ＧＥ−ＰＯＮ  ＯＮＵ（３０８）からの信号は、ＦＥＣ符号化処理部（４０４）へ出力される。ＦＥＣ符号化処理部（４０４）は、ＦＥＣ復号化処理部（４０７）で誤り訂正を行ったデータに対しＦＥＣ符号化処理を行い、既存ＧＥ−ＰＯＮ回線（４０２）へ出力する。
【００４１】
フレーム振り分け機能部（４０６）での振り分けにより１０ＧＥ−ＰＯＮ  ＭＡＣ機能部（４１０）へ出力された信号は、ＭＰＣＰフレームについては１０ＧＥ−ＰＯＮ  ＭＰＣＰ／ＤＢＡ機能部（４１１）で処理が行われる。１０ＧＥ−ＰＯＮ  ＭＡＣ機能部（４１０）は、上位装置への出力信号として、ＰＨＹ（Physical Layer）（４１２）を介してEthernetによるネットワーク回線（４１３）へ出力する。
【００４２】
また、本実施形態による１０ＧＥ−ＰＯＮ  ＯＮＵ（３０９）は、図６に示すように、上述のようにして１０ＧＥ−ＰＯＮ  ＯＬＴ（３０５）から割り当てられたタイミングでフレームを送信するフレーム送信手段（５０１）を備える。また、上述した図５に示すような、送信フレームが何れの回線のものであるかを示す識別子を送信するフレームのpreambleにおける予め定められた部分に含める識別子付与手段（５０２）を備える。
以上の構成により、本実施形態による１０ＧＥ−ＰＯＮ  ＯＮＵ（３０９）は、１０ＧＥ−ＰＯＮ  ＯＬＴ（３０５）から割り当てられたタイミングで、１０ＧＥ−ＰＯＮ回線を示す識別子が付与されたフレームを上り信号として送信することとなる。
【００４３】
以上のように、本実施形態では、既存ＧＥ−ＰＯＮと１０ＧＥ−ＰＯＮとの混在システムを構成し、１０ＧＥ−ＰＯＮ  ＯＬＴを、既存ＧＥ−ＰＯＮのLocaltimeに同期させ、図７に示すように、既存ＧＥ−ＰＯＮの上り信号の余り帯域に１０ＧＥ−ＰＯＮ  ＯＮＵの上り信号の帯域を割り当てるようにしている。
このため、既存ＧＥ−ＰＯＮシステムにおけるLocaltimeおよび、割り当て帯域時間を１０ＧＥ−ＰＯＮ  ＭＡＣ側で認識でき、１０ＧＥ−ＰＯＮ回線における信号割り当て時間を、既存ＧＥ−ＰＯＮ回線における信号割り当て時間と衝突しないように割り当てていくことができる。
【００４４】
また、上述した「余り帯域」への１０ＧＥ−ＰＯＮ回線の信号割り当てについても、システム設計時にＯＮＵの総数が決められ、その時に既存ＧＥ−ＰＯＮ  ＯＮＵ（３０８）と１０ＧＥ−ＰＯＮ  ＯＮＵ（３０９）との数をそれぞれ割り当てる。このため、１０ＧＥ−ＰＯＮ回線の帯域がなくなるということなく、ＴＤＭ多重される各回線について帯域バランスのとれた設計とすることができる。
【００４５】
また、本実施形態では、１０ＧＥ−ＰＯＮ  ＯＬＴを、既存ＧＥ−ＰＯＮのLocaltimeに同期させ、既存ＧＥ−ＰＯＮの余り帯域に１０ＧＥ−ＰＯＮ  ＯＮＵの帯域を割り当てることにより、既存ＧＥ−ＰＯＮシステムに１０ＧＥ−ＰＯＮを組み込むことができる。このように、異なる伝送速度のシステムの上り信号をＴＤＭ多重により混在させることができる。
【００４６】
また、本実施形態では、上り信号のpreambleにおける予め定められた部分に付与された識別コードにより、既存ＧＥ−ＰＯＮ上り信号と１０ＧＥ−ＰＯＮ上り信号を識別するため、既存ＧＥ−ＰＯＮシステムに影響を与えることなく、１０ＧＥ−ＰＯＮシステムと共存させることができる。
【００４７】
このように、上述した実施形態によれば、以下の効果が得られる。
第１の効果は、既存ＧＥ−ＰＯＮ回線と１０ＧＥ−ＰＯＮ回線とを共存させながらも、既存ＧＥ−ＰＯＮシステムの上り方向においてＴＤＭ多重することが可能である。
【００４８】
第２の効果は、既存ＧＥ−ＰＯＮシステムに影響を与えず、付加サービスとして１０ＧＥ−ＰＯＮシステムを提供することが可能である。
【００４９】
第３の効果は、現在運用している既存ＧＥ−ＰＯＮシステムの資産流用した状態で、下り１０Ｇサービスの提供が可能である。
【００５０】
なお、上述した各実施形態は本発明の好適な実施形態であり、本発明はこれに限定されることなく、本発明の技術的思想に基づいて種々変形して実施することが可能である。
例えば、上述した実施形態では、既存ＧＥ−ＰＯＮ回線と１０ＧＥ−ＰＯＮ回線との上り信号をＴＤＭ多重することとして説明したが、上り信号について同期をとってＴＤＭ多重することができればこのものに限定されず、システムの異なる複数の回線で上り方向をＴＤＭ多重する各種のシステムについても本発明は同様に適用することができる。
【００５１】
また、上述した実施形態で例示しているＧＥ−ＰＯＮに限定されず、各種のＰＯＮ（Passive Optical Network）についても本発明は同様に適用することができる。
【００５２】
また、下り方向の信号は波長多重（ＷＤＭ）されるため、上述した実施形態では、１０ＧＥ−ＰＯＮ＝１．５５μｍ、ＧＥ−ＰＯＮ＝１．３１μｍの２つの回線として説明したが、ＴＤＭ多重される上り信号についてのみ同期が取れればこのものに限定されず、各種の波長を用いるものであってよい。
【００５３】
また、上述した実施形態では、下り方向の伝送速度が１Ｇｂ／ｓ，１０Ｇｂ／ｓの２つの回線として説明したが、ＴＤＭ多重される上り信号の伝送速度が同じであればこのものに限定されず、各種の伝送速度の回線であってよい。
【００５４】
また、上り方向の伝送速度についても、上述した実施形態のように、割り当てられたタイムスロット内に収まるものであれば、ＴＤＭ多重される上り信号の伝送速度が異なるものであっても本発明は同様に適用することができる。
【００５５】
また、上述した実施形態では、１Ｇｂ／ｓ，１０Ｇｂ／ｓの２種類の伝送速度の光通信回線を多重化することとして説明したが、各々の速度のＯＬＴを直列接続することにより、３つ以上複数の伝送速度のシステムを多重化させて混在させるシステムであっても本発明は同様に適用することができる。
例えば、図２の構成例から拡張する場合、「既存ＧＥ−ＰＯＮ（１Ｇｂ／ｓ）」→「１０ＧＥ−ＰＯＮ（１０Ｇｂ／ｓ）」→「２０ＧＥ−ＰＯＮ（２０Ｇｂ／ｓ）」…と直列にＯＬＴを接続していく構成などであってもよい。
【００５６】
また、上述した各実施形態としてのＯＬＴ、ＯＮＵ、光通信システムを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００５７】
この本発明に係るプログラムによれば、当該プログラムによって制御されるＯＬＴ、ＯＮＵ、光通信システムに、上述した各実施形態における各機能を実現させることができる。
【図面の簡単な説明】
【００５８】
【図１】本発明の実施形態の概略を示す図である。
【図２】本発明の実施形態としての光通信システムの構成例を示すブロック図である。
【図３】本実施形態のシステムによる上り方向信号を示す図である。
【図４】１０ＧＥ−ＰＯＮ  ＭＡＣ（３０６）の構成例を示すブロック図である。
【図５】１０ＧＥ−ＰＯＮ  ＯＮＵ（３０９）からの上り信号におけるPreamble構成を示す図である。
【図６】１０ＧＥ−ＰＯＮ  ＯＮＵ（３０９）の構成例を示すブロック図である。
【図７】（Ａ）関連技術、（Ｂ）本実施形態による上り方向信号を示す図である。
【図８】関連技術による既存ＧＥ−ＰＯＮと１０ＧＥ−ＰＯＮとのＷＤＭによる共存構成例を示すブロック図である。
【図９】該関連技術によるシステムでの上り方向信号の衝突を示す図である。
【符号の説明】
【００５９】
３０３    既存ＧＥ−ＰＯＮ  ＯＬＴ
３０５    １０ＧＥ−ＰＯＮ  ＯＬＴ
３０６    １０ＧＥ−ＰＯＮ  ＭＡＣ
３０８    既存ＧＥ−ＰＯＮ  ＯＮＵ
３０９    １０ＧＥ−ＰＯＮ  ＯＮＵ
４０５    ＰＬＬ（同期クロック生成手段の一例）
４０６    フレーム振り分け機能部（振り分け手段の一例）
４０９    ＭＰＣＰフレーム解析機能部（タイミング抽出手段の一例）
４１０    １０ＧＥ−ＰＯＮ  ＭＡＣ機能部（タイミング割り当て手段の一例）
４１１    １０ＧＥ−ＰＯＮ  ＭＰＣＰ／ＤＢＡ機能部
【図１】
2009225168.tif 000003
【図２】
2009225168.tif 000004
【図３】
2009225168.tif 000005
【図４】
2009225168.tif 000006
【図５】
2009225168.tif 000007
【図６】
2009225168.tif 000008
【図７】
2009225168.tif 000009
【図８】
2009225168.tif 000010
【図９】
2009225168.tif 000011